(57)【要約】【課題】多様な被洗浄対象乃至領域に合わせて設計の自由度を高めた洗浄ヘッドを提供する。【解決手段】内部に空間部１２ｃ及び一部に開口部１２ｄを有するヘッド本体１２と、このヘッド本体１２と別材からなり洗浄液を噴霧し洗浄済液などを吸引・回収する噴霧・吸引体１３を備え、噴霧・吸引体１３は、被洗浄対象乃至領域へ洗浄液を噴霧する噴霧ノズル１４が位置し、この噴霧ノズルの周囲に洗浄済液などを吸引・回収する複数個の吸引孔１５と、外周囲縁近傍に被洗浄領域へ押し当て外気を通気させる押し当て部材１７とを有し、当該噴霧・吸引体がヘッド本体１２の開口部１２ｄに固定されている。【選択図】図４
2018089612.tif 000002
【特許請求の範囲】
【請求項１】
内部に空間部及び一部に開口部を有するヘッド本体と、
前記ヘッド本体とは別材からなり、洗浄液を噴霧し洗浄済液などを吸引・回収する噴霧・吸引体を備え、
前記噴霧・吸引体は、被洗浄対象乃至領域へ洗浄液を噴霧する噴霧ノズルが設けられ、且つ前記噴霧ノズルの周囲に洗浄済液などを吸引・回収する複数個の吸引孔と、外周囲縁近傍に前記被洗浄領域へ押し当て外気を通気させる押し当て部材とを有し、当該噴霧・吸引体が前記ヘッド本体の前記開口部に固定されていることを特徴とする洗浄ヘッド。
【請求項２】
前記噴霧・吸引体は、ドーム型に膨らまされてその天井に前記噴霧ノズルが設けられ、前記噴霧ノズルの周囲に前記吸引孔が配設され、前記押し当て部材は複数本の外周ブラシで形成されていることを特徴とする請求項１に記載の洗浄ヘッド。
【請求項３】
前記噴霧・吸引体は、前記複数個の吸引孔の間に複数本の吸引ブラシが配設され、前記吸引ブラシは、両端が開口し、且つ側面にブラシ吸引穴が設けられ、内部に中空孔を有する筒状体で形成されたものであることを特徴とする請求項２に記載の洗浄ヘッド。
【請求項４】
前記噴霧・吸引体は、前記吸引ブラシのぞれぞれのブラシ吸引穴が時計方向または反時計方向へ向いて配設されていることを特徴とする請求項３に記載された洗浄ヘッド。
【請求項５】
前記押し当て部材は、外周ブラシ乃至スポンジ体であることを特徴とする請求項１〜３のいずれかであることを特徴とする洗浄ヘッド。
【請求項６】
前記噴霧・吸引体は、中心に前記噴霧ノズルが設けられ、前記噴霧ノズルを露出させる押し当て噴霧穴を中心に設け、前記押し当て噴霧穴の周囲に所定の高さ及び幅長の細毛ブラシ群乃至スポンジ材からなるドーナツ型のブラシ環状体乃至環状スポンジ体で形成された押し当て部材が装着されていることを特徴とする請求項１に記載の洗浄ヘッド。
【請求項７】
前記噴霧・吸引体は、外周縁近傍に前記噴霧ノズルが位置するとともに前記押し当て噴霧穴が前記噴霧ノズルを露出する箇所に設けられ、当該噴霧・吸引体は、前記前記開口部に、前記ヘッド本体に設けたバキューム口から最も離れた位置に装着されていることを特徴とする請求項５に記載の洗浄ヘッド。
【請求項８】
前記噴霧・吸引体は、前記開口部に着脱自在な固定手段で結合されていることを特徴とする請求項１〜７のいずれかに記載の洗浄ヘッド。
【請求項９】
前記ヘッド本体に、超音波振動子が装着されていることを特徴とする請求項１〜８のいずれかに記載の洗浄ヘッド。
【請求項１０】
請求項１〜９のいずれかに記載の洗浄ヘッドに接続され、それらの洗浄ヘッドへ液体を供給する液体供給器と、洗浄済液などを吸引・回収して処理する汚水処理タンクと、前記汚水処理タンクに接続され、前記洗浄済液などを吸引する吸引機を備えていることを特徴とする本体装置。
【請求項１１】
請求項１〜９のいずれかに記載の洗浄ヘッドと請求項１０に記載の本体装置からなることを特徴とする洗浄システム。
【発明の詳細な説明】
【技術分野】
【０００１】
本発明は、洗浄ヘッド、本体装置及び洗浄システムに関する。さらに詳しくは、本発明は、被洗浄領域(エリア)を順次変更・拡大しながら洗浄乃至乾燥する洗浄ヘッド、この洗浄ヘッドへ洗浄液を供給及び洗浄済液などを吸引・回収する本体装置並びにこれらの洗浄ヘッドと本体装置からなる洗浄システムに関する。
【背景技術】
【０００２】
従来、この種の洗浄システムとして、例えば人の頭部、犬、猫などペット類の毛などの洗浄部分に洗浄液を供給しながら洗浄し、洗浄し終わった洗浄済液などを吸引・回収して外部へ排出し、洗浄乃至乾燥する洗浄装置が既に知られている。
【０００３】
例えば、下記特許文献１には、複数本の櫛歯を設けて、洗髪、水洗い及び乾燥する洗浄装置が記載されている。この洗浄装置１は、図２２に示したように、頭部などの洗浄部分に押し当てる洗髪具２に、複数本の櫛歯３、４を所定間隔隔てて形成し、これらの櫛歯に流体を吐出する吐出孔３ａ及び該流体を吸入する吸入孔４ａをそれぞれ設け、それぞれの吐出孔３ａは洗浄用の流体を供給する流体供給手段６、７に接続され、またそれぞれの吸入孔４ａは流体を吸入する流体吸入手段５に接続された構成となっている。
【０００４】
この洗浄装置１は、以下の手順で使用される。
まず、洗髪は、洗髪具２の櫛歯を頭髪に押し当てて、櫛歯３の吐出孔３ａから吐出する洗髪剤Ｂにより頭髪に付着した汚れを分離し、櫛歯４の吸入孔４ａから汚れを含んだ洗髪剤を吸入・回収する。
次いで、水洗いは、櫛歯３の吐出孔３ａから吐出する洗浄水Ｃにより、頭髪や頭皮に付着した洗髪剤を洗い流し、櫛歯４の吸入孔４ａから汚れを含んだ洗髪剤及び洗浄水を吸入・回収する。
さらに、乾燥は、櫛歯３の吐出孔３ａから吐出するエアー又は温風Ｄにより頭髪や頭皮、毛の根元に付着した水分を大気中に拡散させ、頭髪を適度な水分を保有する状態にして乾かす。なお、図２２Ａの符号５〜７は貯蔵容器、また符号８はエアー供給装置を示している。
【０００５】
この洗浄装置によれば、頭髪に付着した汚れを、櫛歯の吐出孔から吐出される洗髪剤で分離しながら、汚れを含んだ流体を櫛歯の吸入孔から吸入・回収するので、従来のように洗髪剤を水で洗い流し、或いはタオルなどの払拭体で払拭する手間及び作業が省け、洗浄作業が簡単且つ容易になる。しかも、洗浄作業に要する時間が短くなり、作業の能率アップを図ることができるので、身体障害者や病人などの頭髪を洗髪する作業に適したものになる。
【０００６】
また、下記特許文献２には、身体を洗浄する洗浄装置が記載されている。この洗浄装置は、身体の皮膚面に対して洗浄水を射出させることができる射水ノズル、及びこの射水ノズルから皮膚に向けて射出された後の洗浄済水を回収するバキューム口を有する洗浄アダプタと、この洗浄アダプタに設けられているバキューム口を負圧とすると共に射水ノズルより圧力水を噴射せしめるためのポンプ、及びこのポンプの駆動力で射水ノズルから射出せしめるための洗浄水を封入する洗浄水タンク、及び上記バキューム口から吸引された洗浄済水を回収する回収タンクを備えた洗浄装置本体で構成されている。
【０００７】
さらに、下記特許文献３には、介護を必要とする人のための身体洗浄具が記載されている。この身体洗浄具は、洗浄水供給部と、洗浄水で身体を洗う洗浄部と、洗浄後の汚水を回収し外へ排出する汚水排出部とで構成されている。
これらの洗浄装置及び洗浄具によれば、人体の手、腹、脚などのボデーを洗浄することができる。なお、下記特許文献４には、超音波振動子を用いた同様の洗浄装置が提案されている。
【先行技術文献】
【特許文献】
【０００８】
【特許文献１】特開２００１−２７５７３７号公報
【特許文献２】特開２００１−１４５６８２号公報
【特許文献３】特開平１１−１７８８８２号公報
【特許文献４】特開２００６−３４６４１５号公報
【発明の概要】
【発明が解決しようとする課題】
【０００９】
しかし、上記特許文献１に記載の洗浄装置１は、洗髪具２を頭髪に押し当てたときに、各櫛歯３、４の先端部が頭部に当たり、洗髪具２と頭部との間に櫛歯高さの隙間が空き、この隙間から洗浄中、洗浄水が外へ大量に放出されてしまう恐れがある。また、洗浄具２に設けられたそれぞれの櫛歯３、４には、洗浄水を吐出する吐出孔、及び該洗浄水を吸入する吸入孔を設けて、吐出孔から洗浄水を吐出させ、洗浄し終わった洗浄水を吸入孔から吸引する構成となっている。このため、吐出される洗浄水と吸引される洗浄水の方向が一定とならず、洗浄水が外部へ飛散乃至滴下する恐れがある。
【００１０】
また、上記特許文献２〜４の洗浄装置は、洗浄中に洗浄水が外部へ飛翔乃至滴下するのを回避できるが、一方でまた上記特許文献１のものも含めて、以下の課題がある。
これらの洗浄装置うち、上記特許文献３に記載の洗浄装置は、洗浄ヘッドの洗浄ブラシ体が被洗浄面で回転するようになっている。そのため、この洗浄装置は、洗浄ヘッドに洗浄ブラシ体を回転させる機構を組み入れ、またこのブラシ体を回転させる駆動機構などが必要になり、全体として構造が複雑で高価なものになっている。
【００１１】
また、これらの洗浄装置は、一般家庭などの浴室に常備されているシャワー装置と異なって、被洗浄対象、例えば人やペット、その他のもの、或いはそれらの洗浄領域(エリア)、さらに洗浄場所などによって、様々な仕様が必要になっている。
【００１２】
例えば、まず、洗浄装置にあっては水道水などの給水設備がないところで少ない洗浄液で洗浄ができることが必要であり、また、洗浄ヘッドは洗浄中に洗浄液が外へ飛散乃至滴下しないことが必要であり、さらにこの洗浄ヘッドは被洗浄対象乃至領域に直接押し当てて使用することになるので、それらに適合したものにする必要がある。さらに詳述すると、洗浄ヘッドは、被洗浄対象にあってその領域、例えば人体にあっては頭部乃至ボデーなどに直接押し当てて使用することになるので、頭部では毛髪、ボデーでは腕部、腹部乃至背部などの局部にあって、それぞれの洗浄が毛髪乃至湾曲面、平坦面などと多様化したものとなり、その結果、洗浄ヘッドは、この多様な被洗浄対象にあってそれぞれの領域に適合したものでなければならない。
【００１３】
また、このような洗浄ヘッドは、頭部やボデーなどに直接押し当てて使用するので、他人が使用したものは忌避されるため、概ね個人専用となる。そうすると、洗浄ヘッドは被洗浄対象にあってそれぞれの領域に適合したものが必要となり、また個人専用のものとなる結果、多様な被洗浄対象乃至領域に対応させるためには、それぞれ個別のものとなって数が多くなり、それらの製作が面倒であり、価格が高くなる。しかし、これまでの洗浄ヘッドは、この多様化に適合したものの製品化に対して設計の自由度が欠如したものとなっている。
【００１４】
本発明者らは、これらの課題を解決するために、試行錯誤を繰り返し、鋭意探求したところ、被洗浄対象に押し当てる洗浄部分をヘッド本体と別体・部材にすれば、洗浄部分をヘッド本体などと切り離して多様な被洗浄対象乃至領域に合致させた洗浄部とすることができるとともに、簡単且つ自由に設計できることを想到し、本発明を完成させるに至ったのである。
【００１５】
そこで、本発明は、上記従来技術が抱える課題を解決すると共に上記の要求に応えるものであって、以下の目的を有する。
本発明の第１の目的は、多様な被洗浄対象乃至領域に合致させて設計の自由度を高めた洗浄ヘッドを提供することにある。
第２の目的は、多様な被洗浄対象乃至領域に合わせて選択・交換ができる洗浄部分を備えた洗浄ヘッドを提供することにある。
第３の目的は、上記洗浄に加え、さらにマッサージ機能をも備えた洗浄ヘッドを提供することにある。
第４の目的は、上記洗浄ヘッドへ洗浄液を供給し、洗浄し終わった洗浄済液などを回収し処理する本体装置を提供することにある。
第５の目的は、上記洗浄ヘッド及び本体装置からなり、水道水などの給水設備がないところで少量の洗浄液で洗浄乃至乾燥ができる洗浄システムを提供することにある。
【課題を解決するための手段】
【００１６】
上記目的を達成するために、本発明の第１の態様の洗浄ヘッドは、内部に空間部及び一部に開口部を有するヘッド本体と、前記ヘッド本体とは別材からなり、洗浄液を噴霧し洗浄済液などを吸引・回収する噴霧・吸引体を備え、前記噴霧・吸引体は、被洗浄対象乃至領域へ洗浄液を噴霧する噴霧ノズルが設けられ、且つ前記噴霧ノズルの周囲に洗浄済液などを吸引・回収する複数個の吸引孔と、外周囲縁近傍に前記被洗浄領域へ押し当て外気を通気させる押し当て部材とを有し、当該噴霧・吸引体が前記ヘッド本体の前記開口部に固定されていることを特徴とする。
【００１７】
第２の態様の洗浄ヘッドは、第１の態様の洗浄ヘッドにおいて、前記噴霧・吸引体は、ドーム型に膨らまされてその天井に前記噴霧ノズルが設けられ、前記噴霧ノズルの周囲に前記吸引孔が配設され、前記押し当て部材は複数本の外周ブラシで形成されていることを特徴とする。
【００１８】
第３の態様の洗浄ヘッドは、第２の態様の洗浄ヘッドにおいて、前記噴霧・吸引体は、前記複数個の吸引孔の間に複数本の吸引ブラシが配設され、前記吸引ブラシは、両端が開口し、且つ側面にブラシ吸引穴が設けられ、内部に中空孔を有する筒状体で形成されたものであることを特徴とする。
【００１９】
第４の態様の洗浄ヘッドは、第３の態様の洗浄ヘッドにおいて、前記噴霧・吸引体は、前記吸引ブラシのぞれぞれのブラシ吸引穴が時計方向または反時計方向へ向いて配設されていることを特徴とする。
【００２０】
第５の態様の洗浄ヘッドは、第１〜第３のいずれかの洗浄ヘッドにおいて、前記押し当て部材は、外周ブラシ乃至スポンジ体であることを特徴とする。
【００２１】
第６の態様の洗浄ヘッドは、第１の態様の洗浄ヘッドにおいて、前記噴霧・吸引体は、中心に前記噴霧ノズルが設けられ、前記噴霧ノズルを露出させる押し当て噴霧穴を中心に設け、前記押し当て噴霧穴の周囲に所定の高さ及び幅長の細毛ブラシ群乃至スポンジ材からなるドーナツ型のブラシ環状体乃至環状スポンジ体で形成された押し当て部材が装着されていることを特徴とする。
【００２２】
第７の態様の洗浄ヘッドは、第５の態様の洗浄ヘッドにおいて、前記噴霧・吸引体は、外周縁近傍に前記噴霧ノズルが位置するとともに前記押し当て噴霧穴が前記噴霧ノズルを露出する箇所に設けられ、当該噴霧・吸引体は、前記前記開口部に、前記ヘッド本体に設けたバキューム口から最も離れた位置に装着されていることを特徴とする。
【００２３】
第８の態様の洗浄ヘッドは。第１〜第７のいずれかの態様の洗浄ヘッドにおいて、前記噴霧・吸引体は、前記開口部に着脱自在な固定手段で結合されていることを特徴とする。
【００２４】
第９の態様の洗浄ヘッドは、第１〜第８のいずれかの洗浄ヘッドにおいて、超音波振動子が装着されていることを特徴とする。
【００２５】
第１０の態様の本体装置は、第１〜第９のいずれかの態様の洗浄ヘッドに接続され、請求項１〜９のいずれかに記載の洗浄ヘッドに接続され、それらの洗浄ヘッドへ液体を供給する液体供給器と、洗浄済液などを吸引・回収して処理する汚水処理タンクと、前記汚水処理タンクに接続され、前記洗浄済液などを吸引する吸引機を備えていることを特徴とする。
【００２６】
第１１の態様の洗浄システムは、第１〜第９のいずれかの態様の洗浄ヘッドと第１０の態様の本体装置からなることを特徴とする。
【発明の効果】
【００２７】
本発明の第１の態様の洗浄ヘッドは、噴霧・吸引体がヘッド本体と別体・別材になっているので、噴霧・吸引体を多様な被洗浄対象乃至領域に合致させたものに簡単且つ自由に設計・製作できる。すなわち、噴霧・吸引体は、ヘッド本体と別体・別部材であるので、任意の形状、例えば板状体、ドーム型（円形、楕円形、その他）などにし、これらに、噴霧ノズル、吸引孔及び押し当て部材などを任意のものを選択して任意の位置に配設ができ、これらの変更・交換も簡単になる。その結果、洗浄ヘッドは被洗浄対象乃至領域の多様化に合わせて、簡単且つ自由な設計に製作でき、価格も低減できる。
【００２８】
第２の態様の洗浄ヘッドによれば、洗浄ヘッドを洗浄部分、例えば頭部に押し当てたときに、噴霧・吸引体の天井が高くなり、頭部との間に比較的大きい空間が形成されるので、この空間を利用して洗浄液を効率よく循環させることができる。すなわち、天井の噴霧ノズルから洗浄液が噴霧状に噴射されると、噴霧水が比較的大きな空間内でミスト状になって充満すると共に内部で対流・循環して、洗浄部分を効率よく洗浄し、また洗浄済液などが吸引孔から効率よく吸引され、一方でまた洗浄液及び洗浄済液などが外部へ飛散乃至漏出するのを防止できる。
【００２９】
第３の態様の洗浄ヘッドは、複数個の吸引孔に複数本の吸引ブラシ間に配設されているので、吸引ブラシの詰まりによる故障を防止できる。すなわち、吸引孔は、盤面に穿設され、噴霧・吸引体から突出せず、吸引ブラシより低い位置にあるので、吸引ブラシが頭髪などを吸い込んで詰まっても、液体及び空気を吸引孔から吸い込めるので、吸引ブラシの詰まりよる故障を回避できる。
【００３０】
第４の態様の洗浄ヘッドによれば、吸引ブラシのブラシ吸引穴を所定の方向へ向けることによって、さらに吸引を効率よく吸引・排出できる。
【００３１】
第５態様の洗浄ヘッドは、押し当て部材が外周ブラシ乃至スポンジ体で構成されているので、外気の吸入をスムーズにする一方で洗浄液の外部への放出を阻止できる。
【００３２】
第６の態様の洗浄ヘッドによれば、例えば人体のボデー、例えば腹部、背部或いは腕部などを洗浄できる。
【００３３】
第７の態様の洗浄ヘッドによれば、洗浄液を被洗浄領域へ万遍なく噴霧し、効率よく洗浄液を吸引・回収できる。
【００３４】
第８の態様の洗浄ヘッドによれば、洗浄ヘッドを多様な被洗浄対象乃至領域に適合したものに選択乃至交換が可能になり、用途が拡大する。
【００３５】
第９態様の洗浄ヘッドによれば、洗浄・乾燥機能に加え、マッサージ機能をも兼ね備えることができる。
【００３６】
第１０態様の本体装置によれば、液体供給器と、汚水処理タンクと、吸引機とからなる、コンパクトな構成の本体装置が得られる。
【００３７】
第１１の態様の洗浄システムによれば、水道水などの給水設備がないところでも少ない洗浄液で多様な被洗浄対象乃至領域を洗浄乃至乾燥することができる。
【図面の簡単な説明】
【００３８】
【図１】本発明の実施形態１に係る洗浄システムの概略斜視図である。
【図２】図２は図１の洗浄システムを構成する洗浄ヘッドを示し、図２Ａは洗浄ヘッドを構成する噴霧・吸引体の背面図、図２Ｂは吸引ブラシの側面図である。
【図３】図３Ａは図２Ａの吸引ブラシ及び吸引孔の配設位置を説明する説明図、図３Ｂは洗浄ヘッドを頭部へ押し当てた状態の断面図である。
【図４】図４Ａは洗浄ヘッドの断面図、図４Ｂは別の角度からみた洗浄ヘッドの断面図である。
【図５】図５は噴霧・吸引体を示し、図５Ａは斜視図、図５Ｂは他の噴霧・吸引体の斜視図、図５Ｃはさらに他の噴霧・吸引体の斜視図ある。
【図６】洗浄ヘッドの断面図である。
【図７】図７は噴霧・吸引体の変形例を示し、図７Ａは変形例１の平面図、図７Ｂは変形例２の平面図、図７ｃは変形例３の平面図である。
【図８】図８は本体装置を構成する汚水処理タンクを示し、図８Ａは断面図、図８Ｂは別の角度の断面図である。
【図９】図９は図８の汚水処理タンクの変形例を示し、図９Ａは変形例の断面図、図９Ｂは別の角度の断面図、図９Ｃは汚水タンクの他の変形例を示した断面図である。
【図１０】図１０は本発明の実施形態２に係る洗浄システムの概略斜視図である。
【図１１】図１１Ａは洗浄ヘッドの断面図、図１１Ｂは別の角度からみた洗浄ヘッドの断面図である。
【図１２】図１２は超音波振動子を示し、図１２Ａは上面図、図１２Ｂは洗浄ヘッドに装着した状態の断面図、図１２Ｃは側面図である。
【図１３】図１３は本発明の実施形態３、４に係る洗浄システムの洗浄ヘッドを示し、図１３Ａは実施形態３に係る洗浄システムを構成する洗浄ヘッドの背面図、図１３Ｂは実施形態４に係る洗浄システムの洗浄ヘッドの背面図である。
【図１４】図１４Ａ、図１４Ｂは図１３の各洗浄ヘッドの側面図である。
【図１５】図１５は本発明の実施形態５に係る洗浄システムの洗浄ヘッドを示し、図１５Ａは背面図、図１５Ｂは斜視図である。
【図１６】本発明の実施形態３に係る洗浄システムの洗浄ヘッドの使用例を示した斜視図である。
【図１７】本発明の実施形態３に係る洗浄システムの噴霧・吸引体の斜視図である。
【図１８】図１８は本発明の実施形態６、７に係る洗浄システムの洗浄ヘッドを示し、図１８Ａは実施形態６に係る洗浄システムを構成する洗浄ヘッドの背面図、図１８Ｂは実施形態７に係る洗浄システムの洗浄ヘッドの背面図である。
【図１９】図１９は図１８Ｂの側面図である。
【図２０】図２０は本発明の実施形態８に係る洗浄システムの洗浄ヘッドを示し、図２０Ａは背面図、図２０Ｂは斜視図である。
【図２１】本発明の実施形態７に係る洗浄システムの噴霧・吸引体の斜視図である。
【図２２】図２２は従来技術の洗浄装置を示し、図２２Ａは概略図、図２２Ｂは櫛具の斜視図である。
【発明を実施するための形態】
【００３９】
以下、図面を参照して、本発明の実施形態に係る洗浄ヘッド、本体装置及び洗浄システムを説明する。但し、以下に示す実施形態は、本発明の技術思想を具体化するための洗浄ヘッド、本体装置及び洗浄システムを例示するものであって、本発明をこれに特定することを意図するものではなく、特許請求の範囲に含まれるその他の実施形態のものにも等しく適応し得るものである。
【００４０】
[実施形態１]
図１、図４を参照して、本発明の実施形態１に係る洗浄システムの概要を説明する。なお、図１は本発明の実施形態１に係る洗浄システムの概略斜視図である。
本発明の実施形態１に係る洗浄システム１０は、被洗浄領域を順次変更・拡大しながら洗浄乃至乾燥する洗浄ヘッド１１と、この洗浄ヘッドへ洗浄液を供給及び洗浄済液などを回収する本体装置２０で構成されている。
【００４１】
洗浄ヘッド１１は、図４に示したように、内部に所定大きさの空間部１２ｃ及び一部に所定大きさの開口部１２ｄを有するヘッド本体１２と、洗浄液を噴霧する一方でまた洗浄済液などを吸引する噴霧・吸引体１３を備えている。
ヘッド本体１２は、空間部に連通し、洗浄液が供給及び洗浄済液などが回収・処理される本体装置２０に接続ホース１９（図１参照）で繋がれる継手結合部１２Ｈを有している。
【００４２】
また、噴霧・吸引体１３は、被洗浄対象乃至領域へ洗浄液を噴霧する噴霧ノズル１４と、この噴霧ノズルの周囲に洗浄済液などを吸引・回収する複数個の吸引孔１５及び吸引ブラシ１６と、外周囲縁にあって被洗浄領域へ押し当てる外周ブラシ１７がそれぞれ配設されている。なお、この外周ブラシは、特許請求の範囲における押し当て部材に対応する。この噴霧・吸引体１３は、ヘッド本体１２の開口部１２ｄに所定の固定手段により固定される。この固定手段は着脱自在乃至分離できない手段のいずれかとなっている。
【００４３】
また、複数本の吸引ブラシ間に複数個の吸引孔が配設されているので、吸引ブラシの詰まりによる故障を防止できる。すなわち、吸引孔は、噴霧・吸引体に穿設されて、吸引ブラシより低い位置にあるので、吸引ブラシが頭髪などを吸い込んで詰まっても、液体及び空気を吸引孔から吸い込めるので、吸引ブラシの詰まりよる故障を回避できる。
【００４４】
また、複数本の吸引ブラシ及び吸引孔により、洗浄済液及び頭皮・ふけなどを効率よく吸引・回収できる。すなわち、従来技術（上記特許文献２、３参照）のように、１つの吸引口によるものでは、噴霧ノズルから噴霧された洗浄液は頭部間の空間内に行き届かずまた対流することなく直ちに一つの大きな吸引口から吸引されるので洗浄ムラ（不良）を起こすことがあるが、この洗浄不良を回避できる。
【００４５】
以上説明したように、この洗浄ヘッド１０によれば、噴霧・吸引体は、ヘッド本体と別体・別材としているので、様々な被洗浄対象乃至領域に適合させたものに自由に設計・製作が可能になる。すなわち、噴霧・吸引体は、任意の形状、例えば板状体、ドーム型（円形、楕円形）、その他の形状にし、また、噴霧・吸引体に、噴霧ノズル、吸引孔及び押し当て部材などを任意のものに選択・変更ができ、しかも任意の位置に配設でき、さらに、これらの交換も簡単にできる。その結果、洗浄ヘッドの製作が容易になる一方でまた価格を低減できる。
【００４６】
本体装置２０は、図１に示したように、２種類の洗浄液をそれぞれ供給する２個の液体供給器２４Ａ、２４Ｂと、汚水処理タンク２１及び吸引機２５などからなり、洗浄ヘッドへ洗浄液を供給する一方で洗浄済液などを吸引・回収して処理する。各液体供給器を乾電池駆動の噴霧器を使用することによって、外部動力は吸引機のみとなり、構成が簡単で省エネルギー化を実現できる。なお、洗浄液は洗浄剤及び洗浄水となっている。
【００４７】
この洗浄システム１０は、洗浄ヘッド１１と本体装置２０とからなるので、水道水などの給水設備がないところでも少ない洗浄液で洗浄できる。また、運搬・移動が自由で設置場所が制限されずに任意の場所で手軽に使用できる。
【００４８】
この洗浄システムは、上記の構成により、顕著な作用効果を奏するものであるが、これら含め他の特徴を明確にするため、以下、この洗浄システムを構成する洗浄ヘッド及び本体装置を詳述する。
【００４９】
図２〜図６を参照して、洗浄ヘッドを詳述する。なお、図２Ａは洗浄ヘッドを構成する噴霧・吸引体の平面図、図２Ｂは吸引ブラシの側面図、図３Ａは図２Ａの吸引ブラシ及び吸引孔を配設する位置を説明する説明図、図３Ｂは洗浄ヘッドを頭部へ押し当てた状態の断面図、図４Ａは洗浄ヘッドの断面図、図４Ｂは別の角度からみた洗浄ヘッドの断面図、図５は噴霧・吸引体を示し、図５Ａは斜視図、図５Ｂは他の噴霧・吸引体の斜視図、図５Ｃはさらに他の噴霧・吸引体の斜視図、図６は洗浄ヘッドの断面図である。
【００５０】
洗浄ヘッド１１は、図４に示したように、内部に所定大きさの空間部１２ｃ及び一部に所定大きさの開口部１２ｄを有するヘッド本体１２と、洗浄液を噴霧する一方でまた洗浄済液などを吸引する噴霧・吸引体１３を備えている。
ヘッド本体１２は、その空間部１２ｃに連通し洗浄液が供給及び洗浄済液などが回収・処理される本体装置２０に繋がれる把持部１２Ｈ（図１参照）を有している。把持部１２Ｈは、手で把持する操作部分であって、且つ本体装置２０へ接続ホース１９に繋ぐ継手ともなっている。この把持部は特許請求の範囲における継手結合部に対応する。
【００５１】
ヘッド本体１２は、図４に示したように、下端に略円形状の開口部及び内部に所定大きさの空間部を有する箱型のハウジングで構成されている。すなわち、このヘッド本体１２は、上方に所定大きさの略円形状の天井部１２aと、この天井部の周囲から下方へ所定長さ垂下した周囲い部１２ｂと、内部にこれらの天井部及び周囲い部で囲まれた所定大きさの空間部１２ｃを備え、下方に所定大きさの開口部１２ｄを有した略ドーム型のハウジングからなり、金属乃至合成樹脂材で形成されている。天井部１２aは、噴霧ノズル１４が固定される箇所となっており、この箇所に噴霧ノズル１４が固定される（図６参照）。なお、噴霧ノズル１４は、ヘッド本体でなく噴霧・吸引体１３に装着してもよい。
【００５２】
開口部１２ｄは、略円筒形状に形成し、この円筒形状部に噴霧体嵌合部１３ｂが嵌合される（図４参照）。なお、この開口部の形状は円筒形状に限定するものではなく、任意の形状、円形以外の形状、例えば楕円形、矩形、その他の形状でよく、その形状及び大きさは噴霧・吸引体１３の形状・大きさによって決める。
【００５３】
また、周囲い部１２ｂは、その一部にホース接続部１２１が形成されて、この接続部には接続ホース１９（図１参照）が接続される。この接続ホース１９は、洗浄済液などを吸引・回収するホースであって、内部に噴霧ヘッド１４と各液体供給器２４Ａ、２４Ｂとを接続する洗浄液供給ホース１９１が挿入されている。なお、ホース接続部１２１は接続ホース１９を介して吸引機２５（図１参照）で吸引される箇所となっているので、以下の説明ではバキューム口ともいう。
【００５４】
また、空間部１２ｃは、所定の大きさを有し、この空間内に噴霧ノズルに結合される洗浄液供給ホース１９１が配設され、また、この空間を利用して、複数個の吸引孔１５及び吸引ノズル１６から吸引される洗浄済液などを一次的に滞留させて、接続ホース１９を介して外部へ排出する。さらに、開口部１２ｄは、噴霧・吸引体１３で塞がれ、内部の空間部２１ｃから、外部へ液漏れしない結合構造となっている。
【００５５】
また、天井部１２ａは、その頂部に洗浄ヘッド１１をオン・オフする操作スイッチ１８が装着されている。なお、操作スイッチ１８は、図示を省略した制御盤に電気的に接続され、この制御盤はまた各液体供給器２４Ａ、２Ｂ及び吸引機２５（図１参照）にも電気的に接続されている。操作スイッチ１８をオン・オフすると、制御盤からの指令により、洗浄ヘッド１１へ各液体供給器２４Ａ、２４Ｂから洗浄液を供給し、また、吸引機２５が作動して、洗浄ヘッド１１から洗浄済液などが吸引される。なお、制御盤を介さずに、各液体供給器２４Ａ、２４Ｂ及び吸引機２５に個別のスイッチを取付けて、それらを個別にオン・オフさせてもよい。なお、操作スイッチ１８は防水タイプのものを用いる。
【００５６】
噴霧・吸引体１３は、図２Ａ、図４に示したように、ヘッド本体１２の開口部を塞ぐ大きさの円盤状体からなり、金属乃至合成樹脂材などの成型体で形成されている。なお、噴霧・吸引体は、弾性変形できるようにするために、エラストマー樹脂製であることが好ましい。
【００５７】
噴霧・吸引体１３は、中心部に噴霧ノズル１４が装着乃至挿通される所定径の貫通孔（以下、ノズル装着孔という。）１３１と、このノズル装着孔の周囲に複数の吸引ブラシ１６及び吸引孔１５と、最外周にあって図４からみて表面側に噴霧体結合部１３ｄ及び裏面側に外周ブラシ１７が形成されている。
【００５８】
ノズル装着孔１３１は、その形状乃至大きさは噴霧ノズル１４によって決める。すなわち、噴霧ノズルの大きさは、噴霧量によって決めるが、この噴霧量は後記する吸引ブラシ及び吸引孔の吸引量とのバランスにより決める。例えば、噴霧量は吸引量より、小さくするのが好ましい。
【００５９】
噴霧ノズル１４は、節水型のものを選択し、四方へ洗浄液を噴霧乃至噴射させる微細孔などを設けたものを使用する。この種の節水型の噴霧ノズルは、既に公知であり、本発明は、この公知のものを使用するので、詳細な説明は省略する。なお、噴霧ノズルに代えて節水型の噴射ノズルを使用してもよい。
【００６０】
噴霧・吸引体１３は、ノズル装着孔の周囲に複数の吸引ブラシ１６及び吸引孔１５が配設されている。これらの配設は、所定の規則性を持たせて配列する。例えば、中心部のノズル装着孔１３１から若干離れた周囲、すなわち、ノズル装着孔１３１からそれぞれ所定距離離れた周囲のエリア（領域）に、噴霧・吸引体１３の裏面（図４からみて）から所定長さ下方へ垂下させた複数の吸引ブラシ１６及び吸引孔１５を所定の間隔をあけて配列し、また中心部に位置するノズル装着孔から最も離れた外側の外周、すなわち最外周に噴霧・吸引体１３の裏面から所定長さ垂下させた複数本の外周ブラシ１７を配列して設ける。
【００６１】
これらの配列をさらに詳述すると、ノズル装着孔１３１を中心にして、この中心から外方へ離れるに従って面積を大にした異なる面積の複数の相似形の仮想の囲み、又は、四方放射状に複数本の仮想の放射線をそれぞれ描き、これらの囲みの外周又は放射線上に複数本の吸引ノズル１６を所定の間隔をあけて配列し、また、複数の吸引孔１５は、吸引ブラシ間にそれぞれ配列する。なお、囲み形状は、例えば、多角形、楕円形、円形などが好ましく、これらは後記する。
【００６２】
これらの吸引ブラシ及び吸引孔などの規則性の配列により、洗浄済液などの吸引、外部への排出が効率よくできる。また、吸引ブラシのブラシ吸引穴を所定の方向へ向けることによって、さらに吸引、排出の効率がよくなる。
【００６３】
この噴霧・吸引体１３は、図２Ａ、図３に示したように、囲みを同心円としたものである。すなわち、ノズル装着孔１３１を中心にして、この中心点から所定距離離れたエリアにそれぞれ半径が異なる複数の仮想の同心円を描き、これらの同心円の周上に複数の吸引ノズル１６及び吸引孔１５を所定の間隔をあけて配設したものである。なお、以下の説明では、複数の吸引孔１５及び吸引ブラシ１６は、それらの配設する位置の理解を容易にするために、複数個の吸引孔１５は、符号ａ１１〜ａ１ｎ、ａ２１〜ａ２ｎ、ａ３１〜ａ３ｎを付して表し、同様に、複数本の吸引ブラシ１６は、符号ｂ１１〜ｂ１ｎ、ｂ２１〜ｂ２ｎを付して表している。ｎは自然数である。
【００６４】
図３Ａを参照して、中心Ｏから半径ｒ１の同心円（囲み）の円周（囲み外周）Ｒ１上に、複数個の吸引孔ａ１１〜ａ１ｎを所定の間隔（等間隔が好ましい。）で穿設して設け、これらの吸引孔により、円周上には所定の間隔で連なった環、いわゆる第１の吸引孔環Ｒａ１が形成される。また、同様に半径ｒ１より長い半径ｒ２の円周Ｒ２上に複数本の吸引ブラシｂ１１〜ｂ１ｎを所定の間隔をあけて植設して第１のブラシ環Ｒｂ１が、さらに、半径ｒ２より長い半径ｒ３の円周Ｒ３上に複数個の吸引孔ａ２１〜ａ２ｎを所定の間隔をあけて穿設して第２の吸引孔環Ｒａ２が、さらにまた、半径ｒ３より長い半径ｒ４の円周Ｒ４上に複数本の吸引ブラシｂ２１〜ｂ２ｎを所定の間隔をあけて植設して第２のブラシ環Ｒｂ２が、さらにまた、半径ｒ４より長い半径ｒ５の同心円の円周Ｒ５上に複数個の吸引孔ａ３１〜ａ３ｎを所定の間隔をあけて穿設して第３の吸引孔環Ｒａ３が、さらにまた、半径ｒ４より長い半径ｒ５の同心円の円周Ｒ６上に複数本の外周ブラシｃ１１〜ｃ１ｎを所定の間隔をあけて植設して外周ブラシ環Ｒｃ１が、それぞれ形成される。なお、円周Ｒ１〜Ｒ６は同心円（囲み）の囲み外周を表している。
【００６５】
なお、複数の吸引孔１５は、各円周Ｒ１、Ｒ３、Ｒ５上に配設したが、これらに位置に限定するものでなく、他の箇所、すなわち、複数本の吸引ブラシ間に設けてもよい。吸引孔の大きさ、個数及び間隔は噴霧・吸引体の大きさなどによって決める。また、複数本の外周ブラシｃ１１〜ｃ１ｎの本数及び間隔も噴霧・吸引体の大きさなどによって決める。
【００６６】
これらの吸引孔１５及及び吸引ブラシ１６の配設により、中心Ｏの周囲には、半径外方向へ向かって、複数の環、すなわち、第１の吸引孔環Ｒａ１、第１のブラシ環Ｒｂ１、第２の吸引孔環Ｒａ２、第２のブラシ環Ｒｂ２、第３の吸引孔環Ｒａ３、及び外周ブラシ環Ｒｃ３が形成される。
【００６７】
これらの吸引孔及び吸引ブラシが連なった環により、中心Ｏの噴霧ノズル１４から噴霧された液体は、洗浄後、まず第１の吸引孔環Ｒａ１で吸引され、続いて第１のブラシ環Ｒｂ１及び第２の吸引孔環Ｒａ２、さらに第２のブラシ環Ｒｂ２及び第３の吸引孔環Ｒａ３で吸引される。これらの吸引により、噴霧された洗浄液は、外へ飛散することなく、及び滴下も防止できる。なお、外周ブラシ環Ｒｃ３からは、各外周ブラシ間を通って、外気が略均一に吸引される。なお、吸引孔環及びブラシ環の数は、噴霧・吸引体の大きさによって、任意に選定し、各環の間隔及び各環における吸引孔及び吸引ブラシの間隔も任意に設定される。
以上説明した噴霧・吸引体１３は、囲みを同心円としたものであるが、本発明は囲みを同心円に限定するものでなく、任意に変更できるものである。
【００６８】
以下、図７を参照して、噴霧・吸引体の変形例を説明する。なお、図７は噴霧・吸引体の変形例を示し、図７Ａは変形例１の平面図、図７Ｂは変形例２の平面図、図７Ｃは変形例３の平面図である。これらの噴霧・吸引体は図２Ｂの噴霧・吸引体と同じように描いた説明図となっている。
【００６９】
変形例１〜３に係る噴霧・吸引体１３Ａ〜１３Ｃは、中心Ｏから外方へ離れるに従って面積を大きくした異なる面積の複数の相似する仮想の囲みを描き、これらの囲みの外周Ｒ１〜Ｒ５上に複数の吸引孔及び吸引ブラシを配設、また外周Ｒ６に沿って複数本の外周ブラシを配設したものである。囲みの形状は、例えば、多角形、楕円形、円形である。
【００７０】
変形例１の噴霧・吸引体１３Ａは、図７Ａに示したように、中心Ｏから外方へ離れるに従って面積を大きくした異なる面積の複数の相似する仮想の囲み、すなわち、四角形を描き、これらの囲み（四角形）の外周Ｒ１〜Ｒ５上に複数の平坦吸込み口及び吸引ブラシを配設、Ｒ６に沿って複数本の外周ブラシを配設したものである。なお、四角形へ正方形だけでなく、長方形であってもよい。
【００７１】
また、変形例２の噴霧・吸引体１３Ｂは、図７Ｂに示したように、囲み形状を多角形、例えば６角形、８角形、１０角形、…にしたものである。
さらに、変形例３の噴霧・吸引体１３Ｃは、図７Ｃに示したように、囲み形状を楕円形にしたものである。
さらにまた、図示を省略したが、中心Ｏから四方へ放射状に複数本の放射線を描き、これらの放射線上に前記複数本の吸引ブラシが所定の間隔をあけて配設してもよい。
これらの噴霧・吸引体によれば、噴霧・吸引体上に吸引ブラシなどが所定の規則性をもって配設されるので、前記噴霧・吸引体１３と同様の作用効果を奏することができる。
【００７２】
次に、図２Ａ、図３、図４を参照して吸引孔を説明する。
吸引孔１５は、噴霧・吸引体１３を貫通した貫通孔からなり、第１のブラシ環Ｒｂ１と第２のブラシ環Ｒｂ２との間及びその外環に位置して、洗浄済の水、抜け毛、頭皮（アカ）などを吸引し、外へ排出させる。
【００７３】
これらの吸引孔１５は、図４に示したように、噴霧・吸引体に穿設され、噴霧・吸引体１３から突出せず、吸引ブラシ１６より噴霧・吸引体に近い位置にあるので、吸引ブラシ１６が頭髪などを吸い込んで詰まっても、洗浄液及び空気を吸引孔から吸い込めるので、吸引ブラシ１６の詰まりよる故障を回避できる。なお、この吸引孔の個数、形状及び大きさを所定のものにすることによって、洗浄済液、抜け毛及び頭皮(アカ)などを効率よく吸引・回収できる。すなわち、従来技術のように、１つの大きな吸引口によるものでは、噴霧ノズルから噴霧された洗浄液は頭部間の空間内に行き届かずまた十分に対流することなく直ちに大きな吸引口から吸引されるので良好な洗浄ができないが、この点が改善されることになる。
【００７４】
次に、図２、図３を参照して吸引ブラシを説明する。
吸引ブラシ１６は、第１のブラシ環Ｒｂ１を形成する吸引ブラシｂ１１〜ｂ１ｎ、及び第２のブラシ環Ｒｂ２を形成する吸引ブラシｂ２１〜ｂ２ｎからなり、これらは同じ形状となっている。
【００７５】
図２Ｂに示したように、吸引ブラシ１６は上下端にそれぞれブラシ開口１６ａ、１６ｂ、側面にブラシ吸引穴１６ｃ有し、所定太さ及び長さの筒状体で形成されている。太さは直径３ｍｍ〜９ｍｍで長さ（被洗浄領域方向へ突出した高さを表している。）は１５ｍｍ以下が好ましい。すなわち、太さは特に限定されないが高さが１５ｍｍを超えると洗浄液が飛散乃至滴下し易くなるので、１５ｍｍ以下が好ましい。なお、下限は５〜６ｍｍである。また、ブラシ吸引穴は、細溝、スリットに限定されず、他の形状のもの例えば、孔などでもよい。この吸引ブラシ１６は、下端のブラシ開口１６ｂ及び側部のブラシ吸引穴１６ｃを有するので、簡単な構成でありながら、これらの開口部及び吸引孔から、洗浄済液、抜け毛などをスムーズに吸引できる。
【００７６】
複数本の吸引ブラシ１６は、すなわち個々の吸引ブラシｂ１１〜ｂ１ｎ及びｂ２２〜ｂ２ｎは、噴霧・吸引体１３上に、それぞれのブラシ吸引穴１６ｃを反時計方向又は時計方向を向くようにして配置するのが好ましい。この配置により、吸引時に、反時計方向又は時計方向に、渦巻き状の流れが形成されて、吸引される。この吸引により、飛散、漏出を防止できる。例えば、頭部洗浄の場合、吸引ブラシが頭皮に当たるとブラシ開口１６ｂが封鎖されてブラシ吸引穴１６ｃのみになる。そのため吸引力が増し渦巻きの流れが形成され循環の力がますます強くなる。これの吸引ブラシは、噴霧・吸引体１３の成型時に一体に形成し、或いは、噴霧・吸引体１３に植設してもよい。
【００７７】
次に、図４、図５、図６を参照して噴霧体結合部を説明する。
噴霧体結合部１３ｄは、開口部１２ｄに嵌合する構造体となっている（図４参照）。
この噴霧体嵌合部１３ｂは、開口部１２ｄに強制的に押し込み嵌合させるように弾性変形される。この弾性変形は、噴霧・吸引体１３をエラストマー樹脂などからなる成型体で形成し、噴霧体嵌合部１３ｂを内部分と比べて肉薄に形成することによって、反復変形が可能な弾性力を付与できる。この嵌合により、ワンタッチでヘッド本体に着脱自在な結合が可能になる。なお、この着脱自在な結合は、弾性変形に限定するものでなく、既に公知の着脱自在な結合手段を用いてもよい。また、着脱自在でなく接着剤などで固定してもよい。
【００７８】
ところで、洗浄ヘッドは、使用中に、ヘッド本体１２の空間部１２ｃ内に、吸引機からの吸引により、強力な吸引力が作用する。そのため、噴霧体嵌合部１３ｂに弾性力を付与するために噴霧・吸引体の全体をシリコン、エラストマー樹脂成型体で形成すると、この強力な吸引力により、噴霧・吸引体１３の内部が、図４から見て、上下動し、それが頻繁に起こると、その部分が損傷・破損する恐れがある。
【００７９】
この損傷などを回避するために、噴霧・吸引体１３は、補強材、例えば所定の厚みを有する金属板などを用いて補強する。補強材１３c（図６参照）は、噴霧・吸引体１３の内部部分に埋め込め、例えば、３層構造にして中間に補強材を介在、乃至２層構造で下面に補強材を設けたものなどにする。この補強材１３cは、吸引孔１５、吸引ブラシ１６の部分が貫通している。図６の符号１３aは噴霧・吸引体１３の表面、符号１３ｂは裏面を示している。
【００８０】
次に、図２Ａ、図３〜図５を参照して、押し当て部材を構成する外周ブラシ１７を説明する。
複数本の外周ブラシ１７は、図２Ａに示したように、外周ブラシ環Ｒｃ３に配設され、これらの外周ブラシｃ１１〜ｃ１ｎは同じ形状であって、それらは所定太さ及び長さの毛、櫛歯、柱状体などからなり、うち、櫛歯乃至柱状体はエラストマー樹脂成型体で形成されている。太さは任意でよく、また長さは吸引ブラシと同じかそれより若干長短になっている。すなわち、吸引ブラシより若干長くても短くてもよい。これらの外周ブラシの間隔は、狭くすると外気を吸引するのが難しくなり、広くすると洗浄液が外部へ飛び出す恐れがあるので、これらのバランスを考慮して決める。この隙間は、例えば約３．００ｍｍ程度が好ましい。
【００８１】
外周ブラシを所定の太さ及び間隔にすることによって、図５Ａに示したように、外気の吸入がスムーズになる一方で洗浄液の外部への放出を噴霧・吸引体の内部と外部との気圧差を利用し外部から空気の流入を起こすことによって阻止できる。
すなわち、洗浄ヘッドは、使用中に、ヘッド本体１２の空間部１２ｃ内に強力な吸引力が作用し、この吸引力を利用して、洗浄済液などが吸引・回収される。そのため、複数本の外周ブラシ間から外気を吸引することが、必要になり、この吸気がないと洗浄済液などが吸引・回収ができなくなるので、ブラシ間に所定の隙間を設ける。なお、図５Ａの矢印は、外気の吸入を示している。
【００８２】
スポンジ体に代えても、外気の吸気が必須となるので、これらのスポンジ体１７'、１７''はその周囲に複数個の逆凹み穴（図５Ｂ参照）、或いは複数個の貫通孔（図５Ｃ参照）を設けて、それらを通気孔とする。なお、図５Ｂは外周ブラシをスポンジ体に変更した噴霧・吸引体１３'を示し、図５Ｃは同様の噴霧・吸引体１３''を示している。なお、図５Ｂ、５Ｃの矢印は、外気の吸入を示している。
【００８３】
また、噴霧・吸引体１３は、被洗浄対象乃至領域の洗浄部分の形状に合わせた形状に形成するのが好ましい。例えば、頭髪を洗浄する場合は、頭部は概ね半球形状をしているので、この半球形状の半径を例えば約５２．７ｍｍと想定し、この半径に合わせた湾曲したドーム型乃至形状にする。なお、図４に示した湾曲形状は、天井が低くなっているが、頭部に合わせると、この天井はより高く（深く）、すなわち、外周囲から天井へ向かってかなり深く湾曲した形状になる（図３Ｂ参照）。
【００８４】
このドーム型にしたことにより、洗浄ヘッド１１を頭部に押し当てたときに、噴霧・吸引体１３は天井が高くなり、頭部との間に比較的大きい洗浄空間が形成されるので、この空間を利用して洗浄液を効率よく循環させることができる。すなわち、天井の噴霧ノズル１４から洗浄液が噴霧状に噴射されると、噴霧水が比較的大きな洗浄空間内でミスト状になって充満すると共に内部で対流・循環して、洗浄部分を効率よく洗浄し、また洗浄済液などを吸引孔及び吸引ブラシから効率よく吸引できて、これらの洗浄液を外部へ飛散するのを防止できる。なお、噴霧・吸引体１３の形状は、上記の頭髪洗浄に限定するものでなく、他の洗浄対象の場合は、それに合わせて変更される。
【００８５】
以上説明したように、噴霧・吸引体１３は、ヘッド本体１２と別体・別材になっているので、噴霧・吸引体を任意の形状、また、これに穿設する吸引孔の大きさ、形状及び個数、さらに、取り付ける吸引ブラシの選定、本数などは、その都度任意に変更し、被洗浄態様乃至領域に合わせて、設計・製作できる。
【００８６】
次に、図１、図８、図９を参照して、本体装置２０を説明する。なお、図８は汚水処理タンクを示し、図８Ａは断面図、図８Ｂは図８Ａの別角度での断面図、図９は汚水処理タンクの変形例を示し、図９Ａは変形例の断面図、図９Ｂは別の角度の断面図、図９Ｃは汚水タンクの他の変形例を示した断面図である。
【００８７】
本体装置２０は、図１に示したように、汚水処理タンク２１と、２種類の洗浄液をそれぞれ供給する２個の液体供給器２４Ａ、２４Ｂを備えている。汚水処理タンク２１は、一端が接続ホース１９により洗浄ヘッド１１の把持部１２Ｈを通してヘッド本体１２のホース接続部１２１に接続され、他端が吸引機２５に連結されて、この吸引機によって、洗浄ヘッド内部及び汚水処理タンク内が吸引される。吸引機２５は、公知のバキューム機構を設けた吸引機を使用するのが好ましい。勿論、汚水処理タンクにバキューム機能を備えた吸引機を付設してもよい。また、２個の液体供給器２４Ａ、２４Ｂは接続ホース１９１を介して空間部１２ｃ内で噴霧ノズル１４に接続される。
【００８８】
次に、図８、図９を参照して、汚水処理タンクを説明する。
汚水処理タンク２１は、洗浄ヘッドから吸引した空気と洗浄済液及びゴミとを分離するものである。
この汚水処理タンク２１は、図８で示したように、所定形状及び大きさの底板２１ａと、この底板の周囲から所定高さ立設した側板２１ｂと、側板上端の開口を覆う蓋板２１ｃとを有し、内部に所定大きさのタンク空間２１０を形成し、蓋板２１ｃの一端に入り口２１１、他端に出口２１２が設けてある。内部のタンク空間２１０は、蓋板２１ｃの略中央から底板２１aへ向かって、底板へ届かない所定長さ垂下した仕切り板２２で区画して、この仕切り板２２を境にして両サイドに２つの小部屋を形成したものである。仕切り板２２の下端には、浮力により上下動する浮き板（図８ではフローター）２３が取付けられている。この浮き板２３は、略中央に空気を通過させる開口が形成されている。
【００８９】
この汚水処理タンク２１は、洗浄ヘッド１１から洗浄済液などを吸引すると、タンク内で洗浄済液（汚水）と、ゴミ（抜け毛、垢及びゴミ）とを分離し、ゴミを除去した空気を出口２１２から接続ホース２４へ送り出す。なお、汚水はタンクの底へ貯留される。
図９Ｂの汚水処理タンク２１Ａは、汚水処理タンク２１を一部変更し、浮き板２３を省いたものである。
【００９０】
また、図９Ｃの汚水処理タンク２１Ｂは、タンク空間２１０内に２枚の仕切り板２２a、２２bを所定の間隔をあけて設け、一方の仕切り板２２aは底板２１aとの間に底穴２２０を形成したものである。この構成により、洗浄ヘッドから吸い込まれた水とゴミが混ざった空気は、まず、図９Ｃの左側の空間内へ入り込み、汚水と空気とに分離されて、汚水は底部に溜まり、空気などは２枚の仕切り板２２a、２２b間を通って、図９Ｃ右側の空間内へ入り込み、この空間上部では水及びゴミが無い空気となって、吸引機２５により吸い込まれ、外部へ排出される。なお、底穴２２０は、タンクの底部で水位を均衡にする働きをする。この汚水処理タンク２１Ｂによれば、吸引機２５への水が混じった空気の吸引を防止できる。
【００９１】
次に、図１に戻って、各液体供給器２４Ａ、２４Ｂを説明する。
二つの液体供給器２４Ａ、２４Ｂのうち、一方の液体供給器２０Ａは所定量の水乃至ヌルマ湯などの洗浄水を貯留して置き、霧状にして、洗浄ヘッド１１へ供給するものである。また、他方の液体供給器２４Ｂは洗剤、例えばシャンプーをそのまま或いは霧状にして、洗浄ヘッド１１へ供給するものである。これらの液体供給器は、噴霧機能を備えたもの（通常、噴霧器と呼ばれている。）を含めて、いずれも既に公知のものであり、本発明はこれらを使用する。詳細説明は省略する。勿論、噴霧器に代えて他の公知の同じ機能を有する供給器を使用してもよい。
【００９２】
さらに、図１を参照して、洗浄システム１０を使用して頭髪を洗浄する例を説明する。頭髪の洗浄は、以下の順序で行う。
【００９３】
ア  洗剤（シャンプー）洗浄
洗浄ヘッド１１を頭部へ押し当て、まず、液体供給器２４Ａから頭髪へ所定量の洗浄液、すなわち水を噴霧し、頭部全体の頭髪を濡らした後、水の供給を止め液体供給器２４Ｂから所定量の洗浄液、すなわち洗剤（シャンプー）を散布する。
洗剤散布後は、洗浄ヘッド１１を頭部から離して、両手で頭髪を擦って汚れを落とし、頭部全体の頭髪を洗剤で泡立して洗浄する。なお、手によりで洗洗浄をするので、従来技術（上記特許文献３参照）のようにブラシ体を回転させる機構が不要となり洗浄ヘッドの構造を簡単にできる。また、洗剤は液体供給器から供給せず、市販の洗浄ボトルなどから直接散布するようにしてもよい。
【００９４】
イ  水洗い洗浄
洗剤シャンプーした後は、再び、洗浄ヘッド１１を頭部へ押し当て、液体供給器２４Ａを作動させ、噴霧ノズル１４から所定量の水を噴霧して頭髪を水洗いし、略同時に、吸引機２５を作動させて、吸引ノズル１６及び吸引孔１５から洗浄済液（洗浄水、シャンプー、抜け毛、垢、油など．）を空気と共に吸引し、頭部全体の頭髪を水洗いする（図４参照）。なお、図４の矢印は吸引方向を示している。
【００９５】
さらに詳述すると、中央の噴霧ノズル１４から水を放射状に噴霧すると、噴霧した水は第１、第２及び第３のブラシ環の方向へ向かって、頭髪を水洗いし、水洗いした後の、洗浄済液などは、略同時に中央の噴霧ノズル１４に近い第１、第２のブラシ環の各吸引ノズルから吸引され、第３のブラシ環に到達する洗浄液の量が少なくなり、それらも第３のブラシ環の各吸引ノズルで吸引されて外部へ排出される。
【００９６】
また、噴霧・吸引体１３はドーム型をしているので、この噴霧・吸引体を頭部に押し当てたときに、中央の天井が高くなり、頭部との間に比較的大きい空間が形成されるため、この空間を利用して洗浄液を効率よく循環させることができる。すなわち、天井中央の噴霧ノズル１４から水が噴霧状に噴射されると、噴霧水が比較的おおきな空間内でミスト状になって充満すると共に内部で対流・循環して、洗浄部分を効率よく洗浄し、また洗浄済液などを吸引孔１５及び吸引ブラシ１５から効率よく吸引でき、これらの洗浄液などが外部へ飛散するのを防止できる。そして、洗浄済液及び空気は、汚水処理タンク２１へ吸い込まれ、このタンク内で汚水と空気とが分離され、清浄な空気が外へ排出される。
【００９７】
ウ  乾燥
頭部全体の頭髪を水洗いした後、液体供給器２４Ａをストップし、吸引器２５だけの運転を継続して、周囲ブラシ１７から吸引した空気を吸引ノズル１６及び吸引孔１５から吸込み、頭部全体の頭髪を乾燥する。
【００９８】
この洗浄システム１０によれば、手により洗剤洗浄をするので、従来技術のようにブラシ体を回転させる機構が不要となり、洗浄ヘッドの構造が簡単になり、一方でまた、格段に高いレベルの節水を実現して効率よく洗浄ができ、しかも洗浄済液は、外部へ漏れることがない。節水は、洗浄水を約３００ｃｃ、多くても５００ｃｃ（ボトル１本程度）で実現できる。この洗浄は、例えば、入浴時の洗髪は、通常２リットルの洗面器で約７杯、すなわち初回２回、洗い流し５回で行われるとすると、合計約１４リットルが使用されるので、この使用量と比べると約９６〜９８％の節水が可能になる。その結果、洗浄システム１０は、水道水などの給水設備がないところでも少ない洗浄水で効率よく簡単に手軽に洗浄することが可能になる。
【００９９】
なお、この洗浄システム１０は、頭髪の洗浄だけでなく、他のもの、例えば犬、猫などのペットなどにも使用でき、また衣類の部分洗い水気を吸い取り乾燥を早くでき、花粉シーズンには頭髪や衣類についた花粉を吸い取り花粉を家の中に持ち込ませない洗浄など種々多用途に使用できる。また、洗浄方法は上記「ア」〜「ウ」に限定されず用途に応じて、種々変更して使用する。
【０１００】
[実施形態２]
次に、図１０〜図１２を参照して、本発明の実施形態２に係る洗浄システムを説明する。なお、図１０は本発明の実施形態２に係る洗浄システムの概略斜視図、図１１Ａは洗浄ヘッドの断面図、図１１Ｂは別の角度からみた洗浄ヘッドの断面図、図１２は超音波振動子を示した斜視図である。
【０１０１】
本発明の実施形態２に係る洗浄システム１０Ａは、実施形態１の洗浄システム１０の洗浄ヘッド１１に超音波振動子を付設し、カバーハウジングで覆った構成を有する。この構成により、洗浄システム１０Ａは、洗浄システム１０の洗浄機能に加え、マッサージ機能をも兼ね備えたものとなる。以下の説明は、実施形態１の洗浄システム１０と共通する構成に同一の符号を付して重複説明を省いて、異なる構成を説明する。
【０１０２】
実施形態２に係る洗浄システム１０Ａは、洗浄ヘッド１１のヘッド本体１２に超音波振動子２８を付設した洗浄ヘッド１１'と、この洗浄ヘッド１１'を収容しヘッド本体を覆うカバーハウジング２６を有し、洗浄ヘッド１１'とカバーハウジング２６とは弾性懸架部材２７を介して結合し、超音波振動子２８により、洗浄ヘッド１１'が振動する構成となっている。
【０１０３】
洗浄ヘッド１１'は、実施形態１の洗浄ヘッド１１のヘッド本体１２（図４参照）に超音波振動子２８を付設したものである。なお、実施形態１の洗浄ヘッド１１は外周ブラシ１７を噴霧・吸引体１３に装着したが、位置替えしてカバーハウジング２６に外周ブラシ１７を取付けるのが好ましい。なお、この外周ブラシは、押し当て部材となっている。
超音波振動子２８は、図１２に示したように、小ブロックの形状をしている。なお、この種の超音波振動子は、既に公知であり、これを使用するので説明は省略する。
【０１０４】
カバーハウジング２６は、上方に所定大きさの略円形状の天井部２６aと、この天井部の周囲から下方へ所定長さ垂下した側周板２６ｂと、内部にこれらの天井部及び側周板で囲まれた所定大きさの空間２６ｃを備え、下方に所定大きさの開口部２６ｄを有した略筒状の筐体からなり、金属乃至合成樹脂材で形成されている。天井部２６aには、操作スイッチ１８Ａ、空間２６ｃは、洗浄ヘッド１１'を収容できる大きさになっている。弾性懸架部材２７は、カバーハウジング２６の開口部２６ｄに洗浄ヘッド１１'を振動自在に懸架するもので、ゴムなどからなる弾性リングで作製されている。
【０１０５】
この洗浄システム１０Ａは、洗浄システム１０と同じようにして使用できるが、この装置の使用によって、上記「ア」〜「ウ」などの洗浄・乾燥だけでなく、マッサージをしながらこれらを行うことができる。
【０１０６】
[実施形態３〜８]
さらに、図１３〜図２１を参照して、本発明の他の実施形態に係る洗浄システムを説明する。
本発明の実施形態３〜８に係る洗浄システムは、実施形態１の洗浄システム１０を構成する洗浄ヘッド１１の噴霧・吸引体１３の一部を変更し、実施形態１の洗浄システムと異なる被洗浄対象乃至領域、例えば人体のボデー、例えば腹部、背部或いは腕部などを洗浄できるようにしたものである。以下の説明は、実施形態１の洗浄システム１０と共通する構成に同一の符号を付して重複説明を省いて、異なる構成を説明する。
【０１０７】
最初に、図１３、図１４を参照して、本発明の実施形態３〜５に係る洗浄システムを説明する。なお、図１３は本発明の実施形態３、４に係る洗浄システムの洗浄ヘッドを示し、図１３Ａは実施形態３に係る洗浄システムを構成する洗浄ヘッドの背面図、図１３Ｂは実施形態４に係る洗浄システムの洗浄ヘッドの背面図であり、図１４Ａ、図１４Ｂは図１３の各洗浄ヘッドの側面図、図１５は本発明の実施形態５に係る洗浄システムの洗浄ヘッドを示し、図１５Ａは背面図、図１５Ｂは斜視図である。
【０１０８】
実施形態３、４に係る洗浄システムは、実施形態１の洗浄ヘッドに代えて、各噴霧・吸引体の一部を変更した洗浄ヘッド１１Ｂ、１１Ｃを用いて洗浄システムを構成したものである。なお、これらの洗浄システムは、それぞれの洗浄ヘッドと本体装置から構成されたものであるが、本体装置は実施形態１の洗浄システムと同じであるので、省略してある。
【０１０９】
実施形態３の洗浄システムの洗浄ヘッド１１Ｂは、ヘッド本体１２の開口部１２ｄ（図４参照）に噴霧・吸引体１３Ｄを固定したものであって、この噴霧・吸引体１３Ｄは、中心に噴霧ノズル１４、この噴霧ノズル１４を覗き見しかも噴霧された洗浄液が外へ噴射される大きさの押し当て噴射穴１７1をあけたブラシ環状体１７Ａを設けたものである。この噴射穴１７1の直径は、開口１３１及び噴霧ノズル１４（図４参照）の直径より長い径、例えば、噴霧ノズル１４の径を１０ｍｍとするそれの倍以上、例えば２０ｍｍ以上にする。なお、この穴径を小さくすると、押し当て噴射穴から洗浄液が外へ噴射され難くなるので、噴霧ノズル１４の径より大きくする。
【０１１０】
また、ブラシ環状体１７Ａは、極細で所定長さの動物乃至人工の毛などからなる細毛を複数本密集させたもので、平面視で略ドーナツ型をしており、被洗浄領域へ押し当てのときに弾性変形して密着し、外気を吸気でき、洗浄済液なども通過させ、且つ洗浄中、洗浄液を外部へ漏らさないものとなっている。この細毛のブラシ環状体１７Ａは実施形態１の洗浄ヘッド１の外周ブラシ１７に対応しており、特許請求の範囲における押し当て部材に対応する。なお、符号Ｂは操作ボタンで、操作スイッチ１８に（図４参照）対応している。
【０１１１】
実施形態４の洗浄システムの洗浄ヘッド１１Ｃの噴霧・吸引体１３Ｅは、上記洗浄ヘッド１１Ｂのブラシ環状体１７Ａに代えて、押し当て部材を環状スポンジ体１７Ｂで構成したものである。この環状スポンジ体１７Ｂは、内部に細かな孔が無数に空いた多孔質のものであって、ポリウレタンなどの合成樹脂を発砲成形したエラストマー樹脂で形成されている。なお、符号１７１は押し当て噴射穴である。この洗浄ヘッド１１Ｃも、洗浄ヘッド１１Ｂと同じ作用効果をするものとなっている。
【０１１２】
実施形態５に係る洗浄システムの洗浄ヘッド１１Ｄは、図１５に示したように、実施形態４の環状スポンジ体１７Ｂの一部を変更し、変形スポンジ環状体１７Ｃを用いてものである。すなわち、噴霧・吸引体１３Ｆの環状スポンジ体１７Ｃは、上記スポンジ環状体１７Ｂのスポンジ環を複数片に分離したもので、この構成により外気の吸気がより多くできる。これらの洗浄ヘッド１１Ｂ〜１１Ｄを備えた洗浄システムによれば、人体の腕部などの洗浄乃至乾燥ができる。
【０１１３】
図１６に示したように、洗浄ヘッド１１Ｃを備えた洗浄システムを用い、その洗浄ヘッド１１Ｃを腕部Ａに押し当てると、環状スポンジ体１７Ｂが弾性変形して腕部Ａに密着し、この状態で洗浄などができる。洗浄の手順は、洗浄システム１０と同じにして行う。この洗浄により、頭部以外を洗浄の対象として、洗浄エリアを洗浄・乾燥ができる。他の洗浄ヘッド１１Ｂ、１１Ｄを備えた洗浄システムも同じである。
【０１１４】
また、これらの洗浄システムにあって、それぞれの洗浄ヘッドの噴霧・吸引体はヘッド本体に着脱自在な結合手段で結合するのが好ましい。
図１７は噴霧・吸引体１３Ｅの着脱自在の結合部分を示しており、結合手段は実施形態１の噴霧・吸引体と同じである。なお、噴霧・吸引体１３Ｅの寸法は、噴霧体嵌合部１３ｂの符号ａの幅長は、例えば３〜８ｍｍ、符号ｂは３〜８ｍｍ、符号ｃはブラシ環状体を示し、１５〜２０ｍｍである。
【０１１５】
これらの部分ａ、ｂは柔らかいエラストマー樹脂で形成し、容易に弾性変形し、しかも空気は吸い込まれなく、一方、ブラシ環状体に吸引力が集中することになる。この着脱手段は、上記のものに限定するものでなく、既に公知の手段を用いてもよい。また、他の洗浄ヘッドの噴霧・吸引体の結合も同様の着脱手段を用いるのが好ましい。
【０１１６】
次に、図１８〜図２１を参照して、本発明のさらに他の実施形態６〜８に係る洗浄システムを説明する。なお、図１８は本発明の実施形態６、７に係る洗浄システムの洗浄ヘッドを示し、図１８Ａは実施形態６に係る洗浄システムを構成する洗浄ヘッドの背面図、図１８Ｂは実施形態７に係る洗浄システムの洗浄ヘッドの背面図であり、図１９は図１８Ｂの側面図であり、図２０は本発明の実施形態８に係る洗浄システムの洗浄ヘッドを示し、図２０Ａは背面図、図２０Ｂは斜視図である。
本発明の実施形態７に係る洗浄システムの噴霧・吸引体の斜視図である。
【０１１７】
実施形態６〜８に係る洗浄システムは、実施形態３〜５の洗浄ヘッドに代えて、それらの構成を一部変更した洗浄ヘッド１１Ｅ〜１１Ｇを用いたものである。これらの洗浄ヘッド１１Ｅ〜１１Ｆは、それぞれ噴霧・吸引体１３Ｇ〜１３Ｉを備え、これらの噴霧・吸引体は、各噴霧ノズル１４を中心部から所定方向へ位置を変更し、この変更に伴いそれぞれの押し当て部材、すなわち環状スポンジ体１７Ｄ，ブラシ環状体１７Ｅ及び変形環状スポンジ体１７Ｆの各押し当て噴射穴１７２のそれぞれ位置を変更したものである。すなわち、各噴霧・吸引体１３Ｇ〜１３Ｉの噴霧ノズル１４は、それぞれの位置を各噴霧・吸引体の中心点と外周縁との間にあって、可能な限り外周縁に近い位置にあって、押し当て部材の装着に障害とならない箇所に設けてある。
【０１１８】
これらの噴霧・吸引体１３Ｇ〜１３Ｉは、ヘッド本体１２の開口部１２ｄに固定する際に、噴霧ヘッド１４がヘッド本体に設けたバキューム口１２１から離れた箇所になるように位置決めして固定する。この箇所は、噴霧ヘッド１４とバキューム口１２１を結ぶ長さを半径とし、この吸引口を中心に描いた円周線上に位置し、吸引口から最も離れた箇所にするのが好ましい。この位置は噴霧・吸引体の中心点を超え外周縁に近い箇所になる。なお、噴霧・吸引体の外周縁付近には押し当て部材を取り付けるので、この取付け箇所を避けた箇所にする。
【０１１９】
このように噴霧ノズルは中心を超えバキューム口１２１から離れた位置に配設することにより、洗浄時に、噴霧ノズルから噴霧された洗浄液は被洗浄領域へ万遍なく行き届き、洗浄液が届かなくて洗浄不良が発生する洗浄ムラを回避できる。なお、噴霧ノズルがバキューム口１２１に近い箇所にあると、噴霧ノズルから噴霧された洗浄液は略直後に吸引口から吸引されて、被洗浄領域へ行き届かなくなり洗浄できなく恐れがあるが、これを回避できる。
【符号の説明】
【０１２０】
１０、１０Ａ                      洗浄システム
１１、１１'、１１Ａ〜１１Ｇ      洗浄ヘッド
１２                              ヘッド本体
１２ｃ                            空間部
１２ｄ                            開口部
１２１                            ホース接続部（バキューム口）
１２Ｈ                            把持部（継手結合部）
１３、１３'，１３''、１３Ａ〜１３Ｉ      噴霧・吸引体
１３ｂ                            噴霧体嵌合部
１４                              噴霧ノズル
１５                              吸引孔
１６                              吸引ブラシ
１６a                            ブラシ吸引穴
１７、１７'、１７''、１７Ａ〜１７Ｆ              押し当て部材
１７１、１７２                      押し当て噴射穴
１８、１８Ａ                      操作スイッチ
１９                              接続ホース
１９１                            洗浄液供給ホース
２０                              本体装置
２１                              汚水処理タンク
２４Ａ、２４Ｂ                    液体供給器
２５                              吸引機
２６                              カバーハウジング
２７                              弾性懸架部材
２８                              超音波振動子
【図１】
2018089612.tif 000003
【図２】
2018089612.tif 000004
【図３】
2018089612.tif 000005
【図４】
2018089612.tif 000006
【図５】
2018089612.tif 000007
【図６】
2018089612.tif 000008
【図７】
2018089612.tif 000009
【図８】
2018089612.tif 000010
【図９】
2018089612.tif 000011
【図１０】
2018089612.tif 000012
【図１１】
2018089612.tif 000013
【図１２】
2018089612.tif 000014
【図１３】
2018089612.tif 000015
【図１４】
2018089612.tif 000016
【図１５】
2018089612.tif 000017
【図１６】
2018089612.tif 000018
【図１７】
2018089612.tif 000019
【図１８】
2018089612.tif 000020
【図１９】
2018089612.tif 000021
【図２０】
2018089612.tif 000022
【図２１】
2018089612.tif 000023
【図２２】
2018089612.tif 000024